【手続補正書】
【提出日】平成19年7月18日(2007.7.18)
【手続補正１】
【補正対象書類名】明細書
【補正対象項目名】特許請求の範囲
【補正方法】変更
【補正の内容】
【特許請求の範囲】
【請求項１】  制約を有するアルゴリズムとして表わされる価格を含む注文に示される条件に基づいて複数の証券に対する買いおよび売り注文をマッチまたは比較する条件付き注文取引ネットワークシステムであって、前記取引ネットワークシステムは
取引の意向を表わす制約を有するアルゴリズムの形の証券に対する注文を入力するための可変数のトレーダ端子を含み、１つの証券の価格は制約内のアルゴリズムの従属変数であり、別の証券の動的に変化する価格はその独立変数であり、従属変数としての価格は独立変数の価格の変化に応答して継続的に変化可能であり、前記アルゴリズムは買いまたは売り注文を表わし、さらに
通信ネットワーク上を各々のトレーダ端子に結合される少なくとも１つのコントローラコンピュータを含み、前記コントローラコンピュータは入力として
ａ）  対応する制約を有する各アルゴリズムと、
ｂ）  アルゴリズムの独立変数または制約変数に対する入力として用い得るさまざまな証券の価格および外部の複数の取引所からの契約を示す少なくとも１つの外部価格供給とを受取り、前記コントローラコンピュータは
制約および条件に従ってアルゴリズムの買い注文とアルゴリズムの売り注文とをマッチする手段を含み、前記条件の１つは２つまたはそれ以上の証券がそれぞれの証券の不確実性トレードとして同時にトレード可能であることの要求であり、さらに前記コントローラコンピュータは
制約および条件に従って、外部の複数のデータソースを用いてアルゴリズムの買い／売り注文とアルゴリズムまたは非アルゴリズムの売り／買い注文とをマッチまたは比較する手段とを含む、条件付き注文取引ネットワークシステム。
【請求項２】  注文価格はアルゴリズムの形で表わされる際に別のアルゴリズムを受ける注文量を含む、請求項１に記載の条件付き注文取引ネットワークシステム。
【請求項３】  前記コントローラコンピュータは、各注文がコントローラコンピュータに受取られる際およびその他の各原証券の各新価格がコントローラコンピュータに受取られる際にリアルタイムで注文をマッチ／比較する、請求項１に記載の条件付き注文取引ネットワークシステム。
【請求項４】  注文が入力された端子の同一性を維持するための手段をさらに含む、請求項１に記載の条件付き注文取引ネットワークシステム。
【請求項５】  注文アルゴリズムは、１つの軸として１つの証券の価格を有しかつ別の軸として別の証券の価格を有する制約を有する２次元空間における線として表わされ得る、請求項１に記載の条件付き注文取引ネットワークシステム。
【請求項６】  前記証券はボンドを含む、請求項１に記載の条件付き注文取引ネットワークシステム。
【請求項７】  前記証券はワラントを含む、請求項１に記載の条件付き注文取引ネットワークシステム。
【請求項８】  前記独立変数は複数の独立変数を含み得る、請求項１に記載の条件付き注文取引ネットワークシステム。
【請求項９】  前記売り注文は空売り注文を含む、請求項１に記載の条件付き注文取引ネットワークシステム。
【請求項１０】  前記証券は転換証券を含む、請求項１に記載の条件付き注文取引ネットワークシステム。
【請求項１１】  前記証券は株を含む、請求項１に記載の条件付き注文取引ネットワークシステム。
【請求項１２】  前記証券はオプションを含む、請求項１に記載の条件付き注文取引ネットワークシステム。
【請求項１３】  前記証券は先物を含む、請求項１に記載の条件付き注文取引ネットワークシステム。
【請求項１４】  前記証券は先物契約を含む、請求項１に記載の条件付き注文取引ネットワークシステム。
【請求項１５】  前記証券はスワップ契約を含む、請求項１に記載の条件付き注文取引ネットワークシステム。
【請求項１６】  前記価格は利回りであってもよい、請求項２に記載の条件付き注文取引ネットワークシステム。
【請求項１７】  前記価格はボラティリティであってもよい、請求項２に記載の条件付き注文取引ネットワークシステム。
【請求項１８】  前記価格は利回りスプレッドであってもよい、請求項２に記載の条件付き注文取引ネットワークシステム。
【請求項１９】  前記条件の１つは、独立変数価格が設定制限よりも上または下のときには取引が起こり得ないことである、請求項１に記載の条件付き注文取引ネットワークシステム。
【請求項２０】  前記条件の１つは、アルゴリズムによって生成される結果にかかわらず価格が特定化されたレベルを超えないことである、請求項１に記載の条件付き注文取引ネットワークシステム。
【請求項２１】  前記条件の１つは、アルゴリズムによって生成される結果にかかわらず価格が特定化されたレベルよりも低くならないことである、請求項１に記載の条件付き注文取引ネットワークシステム。
【請求項２２】  前記条件の１つは、前記外部の複数の取引所から供給される価格を用いることなく注文をマッチ／比較する要求である、請求項１に記載の条件付き注文取引ネットワークシステム。
【請求項２３】  制約を有するアルゴリズムによって表わされる価格を含む注文に示される条件に基づいて、買いおよび売り注文に参照される証券に対する予想されるトレードをトレードおよび交渉するためのトレーダワークステーションであって、前記アルゴリズムは取引の意向を表わし、アルゴリズムの従属変数および別の証券の動的に変化する価格は独立変数であり、従属変数としての価格は独立変数の価格の変化に応答して継続的に変化可能であり、前記トレーダワークステーションは
一方の末端に最も有利な注文を有しかつ他方の末端に最も有利でない注文を有する、表示フィールドにわたって有利さの降順に優先される順序で買いおよび売り注文の選択されるパラメータを表示するための表示装置と、
トレーダワークステーションにトレードまたは交渉される送出注文を入力するための入力装置と、
トレーダの端末から送出注文および入来注文情報を受取り、表示装置を制御するためのコンピュータとを含み、前記コンピュータは
すべての入来注文を送出注文に対して比較するためのコンパレータと、
独立変数としての前記別の証券の価格の動的変化に応答して注文の相対的有利さの変化を反映するために、各注文が受取られる際に表示フィールドにおいてリアルタイムで注文を再順序付けするソータとを含む、ワークステーション。
【請求項２４】  注文価格はアルゴリズムによって表わされる際に別のアルゴリズムを受ける注文量を含む、請求項２３に記載のワークステーション。
【請求項２５】  前記コンピュータは、各注文がコンピュータに受取られる際および他の各条件付き証券の各新価格がコンピュータに受取られる際にリアルタイムで注文をマッチ／比較する、請求項２３に記載のワークステーション。
【請求項２６】  注文が入力されたトレーダの端末の同一性を維持するための手段をさらに含む、請求項２３に記載のワークステーション。
【請求項２７】  注文アルゴリズムは、１つの軸として１つの証券の価格を有しかつ別の軸として別の証券の価格を有する制約を有する２次元空間における線として表わされ得る、請求項２３に記載のワークステーション。
【請求項２８】  前記売り注文は空売り注文を含む、請求項２３に記載のワークステーション。
【請求項２９】  前記証券は転換証券を含む、請求項２３に記載のワークステーション。
【請求項３０】  前記証券は株を含む、請求項２３に記載のワークステーション。
【請求項３１】  前記証券はオプションを含む、請求項２３に記載のワークステーション。
【請求項３２】  前記証券は先物を含む、請求項２３に記載のワークステーション。
【請求項３３】  前記証券は先物契約を含む、請求項２３に記載のワークステーション。
【請求項３４】  前記証券はスワップ契約を含む、請求項２３に記載のワークステーション。
【請求項３５】  価格は利回りであってもよい、請求項２４に記載のワークステーション。
【請求項３６】  価格はボラティリティであってもよい、請求項２４に記載のワークステーション。
【請求項３７】  価格は利回りスプレッドであってもよい、請求項２４に記載のワークステーション。
【請求項３８】  前記相対的有利さは原証券の現行値によって定められる、請求項２３に記載のワークステーション。
【請求項３９】  前記表示装置は外部市場からの変化する証券値を表示するためのチッカフィールドと、交渉／トレードされるアルゴリズムの現行注文情報を表示するための注文エントリフィールドと、アルゴリズムに関する調査データを表示するためのワイルドカードフィールドとをさらに含む、請求項２３に記載のワークステーション。
【請求項４０】  制約を有するアルゴリズムとして表わされる価格を含む注文に示される条件に基づいて複数の項目に対する買いおよび売り注文をマッチまたは比較する条件付き注文取引ネットワークシステムであって、前記条件付き注文取引ネットワークシステムは
取引の意向を表わす制約を有するアルゴリズムの形の項目に対する注文を入力するための可変数のトレーダ端子を含み、１つの項目の価格は制約内のアルゴリズムの従属変数であり、別の項目の動的に変化する価格はその独立変数であり、従属変数としての価格は独立変数の価格の変化に応答して継続的に変化可能であり、前記アルゴリズムは買いまたは
売り注文を表わし、さらに
通信ネットワーク上を各々のトレーダ端子に結合され、入力として対応する制約を有する各アルゴリズムを受取るコントローラコンピュータ手段と、
制約および条件に従ってアルゴリズムまたは非アルゴリズムの買い注文とアルゴリズムまたは非アルゴリズムの売り注文とをマッチする手段とを含み、前記条件の１つは独立変数としての前記別の項目の価格の変化に応答して２つまたはそれ以上の証券がそれぞれの証券の不確実性トレードとして同時にトレード可能であることの要求である、条件付き注文取引ネットワークシステム。
【請求項４１】  制約を有するアルゴリズムによって表わされる価格を含む注文に示される条件に基づいて、買いおよび売り注文に参照される証券に対する予想されるトレードをトレードおよび交渉するための複数のトレーダワークステーションをさらに含み、各ワークステーションは
一方の末端に最も有利な注文を有しかつ他方の末端に最も有利でない注文を有する、表示フィールドにわたって有利さの降順に優先される順序で買いおよび売り注文の選択されるパラメータを表示するための表示装置と、
トレーダワークステーションにトレードまたは交渉される送出注文を入力するための入力装置と、
トレーダの端末から送出注文および入来注文情報を受取り、表示装置を制御するためのコンピュータとを含み、前記コンピュータは
すべての入来注文を送出注文に対して比較するためのコンパレータと、
独立変数としての前記別の項目の価格の変化に応答して注文の相対的有利さの変化を反映するために、各注文が受取られる際に表示フィールドにおいてリアルタイムで注文を再順序付けするソータとを含む、請求項１に記載の条件付き注文取引ネットワークシステム。
【請求項４２】  制約を有するアルゴリズムによって表わされる価格を含む注文に示される条件に基づいて、買いおよび売り注文に参照される証券に対する予想されるトレードをトレードおよび交渉するための複数のトレーダワークステーションをさらに含み、各ワークステーションは
一方の末端に最も有利な注文を有しかつ他方の末端に最も有利でない注文を有する、表示フィールドにわたって有利さの降順に優先される順序で買いおよび売り注文の選択されるパラメータを表示するための表示装置と、
トレーダワークステーションにトレードまたは交渉される送出注文を入力するための入力装置と、
トレーダの端末から送出注文および入来注文情報を受取り、表示装置を制御するためのコンピュータとを含み、前記コンピュータは
すべての入来注文を送出注文に対して比較するためのコンパレータと、
独立変数としての前記別の項目の価格の変化に応答して注文の相対的有利さの変化を反映するために、各注文が受取られる際に表示フィールドにおいてリアルタイムで注文を再順序付けするソータとを含む、請求項４０に記載の条件付き注文取引ネットワークシステム。
【請求項４３】  制約を有するアルゴリズムとして表わされる価格を含む注文に示される条件に基づいて同じまたは異なる市場からの複数の項目に対する買いおよび売り注文を電子的にマッチまたは比較する条件付き注文取引ネットワークシステムであって、前記条件付き注文取引ネットワークシステムは
取引の意向を表わす制約を有するアルゴリズムの形の項目に対する注文を入力するための可変数のトレーダ端子を含み、動的に変化する価格は制約内のアルゴリズムおよび独立変数としての別の項目の価格の従属変数であり、従属変数としての価格は独立変数の価格の変化に応答して継続的に変化可能であり、前記アルゴリズムは買いまたは売り注文を表わし、さらに
通信ネットワーク上を各々のトレーダ端子に結合され、入力として対応する制約を有す
る各アルゴリズムを受取るコントローラコンピュータ手段と、
制約および条件に従ってアルゴリズムまたは非アルゴリズムの買い注文とアルゴリズムまたは非アルゴリズムの売り注文とをマッチする手段とを含み、前記条件の１つは２つまたはそれ以上の項目がそれぞれの項目の不確実性トレードとして同時にトレード可能であることの要求であり、さらに
独立変数としての前記別の項目の価格の動的変化に応答して単一の電子的にマッチしたトレードとして同じまたは異なる市場における前記項目のトレードを同時に実行する手段を含む、条件付き注文取引ネットワークシステム。
【請求項４４】  制約を有するアルゴリズムとして表わされる価格を含む注文に示される条件に基づいて複数の項目に対する買いおよび売り注文をマッチまたは比較するためのコンピュータプログラムが記録された読取り可能媒体であって、複数のセグメントを有する前記読取り可能媒体のためのソースコードは
取引の意向を表わす制約を有するアルゴリズムの形の項目に対する注文を入力するための可変数のトレーダ端子からのデータを処理するためのセグメントを含み、価格は制約内のアルゴリズムおよび独立変数としての別の項目の動的に変化する価格の従属変数であり、従属変数としての価格は独立変数の価格の変化に応答して継続的に変化可能であり、前記アルゴリズムは買いまたは売り注文を表わし、さらに
通信ネットワーク上を各々のトレーダ端子に結合されるコンピュータを制御するためのセグメントを含み、前記コンピュータは入力として
ａ）  対応する制約を有する各アルゴリズムと、
ｂ）  アルゴリズムの独立変数または制約変数に対する入力として用い得るさまざまな項目の価格および外部の複数のデータソースからの契約を示す外部価格供給とを受取り、前記ソースコードはさらに
制約および条件に従って、外部の複数のデータソースを用いてアルゴリズムの買い／売り注文とアルゴリズムまたは非アルゴリズムの売り／買い注文とをマッチまたは比較するためのセグメントと、
単一の電子的にマッチしたトレードとして同じまたは異なるエクイティ市場における前記項目のトレードを同時に実行するためのセグメントとを含む、コンピュータ読取り可能媒体。
【請求項４５】  前記ソースコードは、マッチングサイクルにおいて買い／売り注文が潜在的にマッチする価格を確立するためのセグメントと、このような確立された価格におけるマッチしない残余データを確立するためのセグメントと、残余データをマッチさせるために利用可能な付加的な買いおよび売りデータを外部のデータソースから探すためのセグメントと、マッチした残余データを潜在的にマッチする注文と組合せて、受入れられたマッチ基準に従って完成したマッチを生成することによって前記単一の電子的にマッチしたトレードを実行するためのセグメントとをさらに含む、請求項４４に記載のコンピュータ読取り可能媒体。
【請求項４６】  制約を有するアルゴリズムとして表わされる価格を含む注文に示される条件に基づいて複数の項目に対する買いおよび売り注文をマッチまたは比較する条件付き注文取引ネットワークシステムであって、前記条件付き注文取引ネットワークシステムは
取引の意向を表わす制約を有するアルゴリズムの形の項目に対する注文を入力するための可変数のトレーダ端子を含み、価格は制約内のアルゴリズムおよび独立変数としての別の項目の動的に変化する価格の従属変数であり、従属変数としての価格は独立変数の価格の変化に応答して継続的に変化可能であり、前記アルゴリズムは買いまたは売り注文を表わし、
各トレーダ端子は好ましいデータ表示形式を確立するためにユーザによってプログラム可能であり、さらに異なる入来データ形式を前記好ましい形式に処理するための変換回路と、
通信ネットワーク上を各々のトレーダ端子に結合され、入力として対応する制約を有す
る各アルゴリズムを受取るコントローラコンピュータ手段と、
制約および条件に従ってアルゴリズムの買い／売り注文とアルゴリズムまたは非アルゴリズムの売り／買い注文とをマッチまたは比較し、単一の電子的にマッチしたトレードとして同じまたは異なるエクイティ市場における前記項目のトレードを同時に実行する装置とを含む、条件付き注文取引ネットワークシステム。
【請求項４７】  各トレーダ端子は
前記通信リンクに沿って全体のアルゴリズムまたはそのアルゴリズムの属性を含むアルゴリズムの買い／売り注文を伝達するかまたは受取るためのインターフェイス回路と、
コントローラコンピュータ手段内のアルゴリズム処理と独立して、伝達される注文を生成するか、または端子内に受取られる注文を分析するためのプロセッサと、
アルゴリズムの買いおよび売り注文を表わす情報を選択可能な形式で表示するためのディスプレイとを含む、請求項４２に記載の条件付き注文取引ネットワークシステム。
【請求項４８】  制約を有するアルゴリズムとして表わされる価格を含む注文に示される条件に基づいて同じまたは異なるエクイティ市場からの複数の項目に対する買いおよび売り注文を電子的にマッチまたは比較する条件付き注文取引ネットワークシステムであって、前記条件付き注文取引ネットワークシステムは
取引の意向を表わす制約を有するアルゴリズムの形の項目に対する注文を入力するための可変数のトレーダ端子を含み、動的に変化する価格は制約内のアルゴリズムおよび独立変数としての別の項目の価格の従属変数であり、従属変数としての価格は独立変数の価格の変化に応答して継続的に変化可能であり、前記アルゴリズムは買いまたは売り注文を表わし、さらに
通信ネットワーク上を各々のトレーダ端子に結合され、入力として対応する制約を有する各アルゴリズムを受取るコントローラコンピュータ手段と、
制約および条件に従ってアルゴリズムまたは非アルゴリズムの買い注文とアルゴリズムまたは非アルゴリズムの売り注文とをマッチする手段とを含み、前記条件の１つは２つまたはそれ以上の項目がそれぞれの項目の不確実性トレードとして同時にトレード可能であることの要求であり、さらに
独立変数としての前記別の項目の価格の動的変化に応答して単一の電子的にマッチしたトレードとして同じまたは異なるエクイティ市場における前記項目のトレードを同時に実行する手段を含む、条件付き注文取引ネットワークシステム。